(57)【要約】【課題】対物レンズとステージとの間の距離の拡張範囲を拡大することができる顕微鏡システムを提供すること。【解決手段】標本が載置されるステージ１０と、少なくともステージ１０上の標本からの観察光を集光する対物レンズ２５と、光源から射出され、標本を透過する照明光である透過照明光を標本へ照射する透過照明光学系と、透過照明光学系を保持するベース部２１、ベース部２１から直立する支柱２２、支柱２２のベース部２１側と異なる側の端部に設けられ、光源から射出された標本に反射させる照明光である落射照明光を標本へ照射する落射照明光学系を有する顕微鏡本体部２０と、を備え、ステージ１０および透過照明光学系は、顕微鏡本体部２０と着脱可能である。【選択図】図１
2013105155.tif 000002
【特許請求の範囲】
【請求項１】
標本が載置されるステージと、
少なくとも前記ステージ上の前記標本からの観察光を集光する対物レンズと、
光源から射出され、前記標本を透過する照明光である透過照明光を前記標本へ照射する透過照明光学系と、
前記透過照明光学系を保持するベース部、該ベース部から直立する支柱、該支柱の前記ベース部側と異なる側の端部に設けられ、光源から射出された前記標本に反射させる照明光である落射照明光を前記標本へ照射する落射照明光学系を有する顕微鏡本体部と、
を備え、
前記ステージおよび前記透過照明光学系は、前記顕微鏡本体部と着脱可能であることを特徴とする顕微鏡システム。
【請求項２】
前記支柱に設けられ、前記対物レンズを保持するレボルバを支持し、前記支柱に沿って昇降移動可能な対物アームを備え、
前記ベース部は、前記ステージおよび前記透過照明光学系が前記顕微鏡本体部から離脱した状態で前記標本を載置可能であることを特徴とする請求項１に記載の顕微鏡システム。
【請求項３】
前記透過照明光学系は、コンデンサを有することを特徴とする請求項２に記載の顕微鏡システム。
【請求項４】
前記顕微鏡本体部は、前記支柱に設けられ、前記ステージを着脱可能に支持し、前記支柱に沿って昇降移動可能な昇降部を有し、
前記ステージおよび前記透過照明光学系が前記顕微鏡本体部から離脱した状態で、前記昇降部に取り付けられる載置部材を備え、
前記載置部材は、前記透過照明光学系の配設領域で前記標本を載置することを特徴とする請求項１に記載の顕微鏡システム。
【請求項５】
前記昇降部は、コンデンサを着脱可能に支持することを特徴とする請求項４に記載の顕微鏡システム。
【発明の詳細な説明】
【技術分野】
【０００１】
本発明は、例えば、照明光を標本に照射し、標本が透過または反射した光をもとに生成された標本像を取得する顕微鏡システムに関するものである。
【背景技術】
【０００２】
従来から、医学や生物学等の分野では、細胞等の観察に、標本を照明して観察する顕微鏡装置を有する顕微鏡システムが用いられている。また、工業分野においても、金属組織等の品質管理や、新素材の研究開発、電子デバイスや磁気ヘッドの検査等、種々の用途で顕微鏡装置が利用されている。標本の観察を行う顕微鏡システムとして、目視によるものの他、ＣＣＤカメラ等の撮像素子を用いて標本像を撮像し、モニタ表示する構成を有するものが知られている。
【０００３】
近年、上述した顕微鏡システムを用いて観察する標本の種類の多様化に伴い、細胞のような極めて薄いものから小動物のような厚みのあるものまで観察できることが望まれている。この要望に対して、標本を載置するステージを保持するベース部、およびベース部に対して直立して形成された胴部を有するフレームと、胴部上端に設けられ、落射照明用光源を有する落射投光管と、対物レンズを保持し、胴部に沿って上下動可能な対物アームと、を備え、ステージのベース部に対する取り付け位置を変更する、または対物アームの上下方向の長さを変更して対物レンズとステージとの間の距離を変更することによって、標本の厚みに応じた観察を行うことができる顕微鏡が開示されている（例えば、特許文献１を参照）。この顕微鏡は、透過照明用光源を有するランプハウスを備えており、標本の透過照明観察も可能である。
【先行技術文献】
【特許文献】
【０００４】
【特許文献１】特開２００２−３１７５９号公報
【発明の概要】
【発明が解決しようとする課題】
【０００５】
しかしながら、特許文献１が開示する顕微鏡は、対物レンズとステージとの間の距離を拡張できるものの、ベース部には、入射した透過照明光を標本に向けて出射する構成を有するため、対物レンズとステージとの間における拡張範囲が制限されるおそれがあった。
【０００６】
本発明は、上記に鑑みてなされたものであり、対物レンズとステージとの間の距離の拡張範囲を拡大することができる顕微鏡システムを提供することを目的とする。
【課題を解決するための手段】
【０００７】
上述した課題を解決し、目的を達成するために、本発明にかかる顕微鏡システムは、標本が載置されるステージと、少なくとも前記ステージ上の前記標本からの観察光を集光する対物レンズと、光源から射出され、前記標本を透過する照明光である透過照明光を前記標本へ照射する透過照明光学系と、前記透過照明光学系を保持するベース部、該ベース部から直立する支柱、該支柱の前記ベース部側と異なる側の端部に設けられ、光源から射出された前記標本に反射させる照明光である落射照明光の経路をなす落射照明部を有する顕微鏡本体部と、を備え、前記ステージおよび前記透過照明光学系は、前記顕微鏡本体部と着脱可能であることを特徴とする。
【０００８】
また、本発明にかかる顕微鏡システムは、上記の発明において、前記支柱に設けられ、前記対物レンズを保持するレボルバを支持し、前記支柱に沿って昇降移動可能な対物アームを備え、前記ベース部は、前記ステージおよび前記透過照明光学系が前記顕微鏡本体部から離脱した状態で前記標本を載置可能であることを特徴とする。
【０００９】
また、本発明にかかる顕微鏡システムは、上記の発明において、前記透過照明光学系は、コンデンサを有することを特徴とする。
【００１０】
また、本発明にかかる顕微鏡システムは、上記の発明において、前記顕微鏡本体部は、前記支柱に設けられ、前記ステージを着脱可能に支持し、前記支柱に沿って昇降移動可能な昇降部を有し、前記ステージおよび前記透過照明光学系が前記顕微鏡本体部から離脱した状態で、前記昇降部に取り付けられる載置部材を備え、前記載置部材は、前記透過照明光学系の配設領域で前記標本を載置することを特徴とする。
【００１１】
また、本発明にかかる顕微鏡システムは、上記の発明において、前記昇降部は、コンデンサを着脱可能に支持することを特徴とする。
【発明の効果】
【００１２】
本発明にかかる顕微鏡システムは、ステージおよび透過照明部が顕微鏡本体部に対して着脱可能であって、透過照明部が位置していた領域で厚みのある標本を保持するようにしたので、対物レンズとステージとの間の距離の拡張範囲を拡大することができるという効果を奏する。
【図面の簡単な説明】
【００１３】
【図１】図１は、本発明の実施の形態１にかかる顕微鏡システムの構成を示す模式図である。
【図２】図２は、図１の矢視Ａ方向からみた模式図である。
【図３】図３は、本発明の実施の形態１にかかる顕微鏡システムの構成を示す部分断面図である。
【図４】図４は、本発明の実施の形態１の変形例１−１にかかる顕微鏡システムの構成を示す部分断面図である。
【図５】図５は、本発明の実施の形態１の変形例１−２にかかる顕微鏡システムの構成を示す部分断面図である。
【図６】図６は、本発明の実施の形態１の変形例１−３にかかる顕微鏡システムの構成を示す模式図である。
【図７】図７は、本発明の実施の形態１の変形例１−３にかかる顕微鏡システムの構成を示す模式図である。
【図８】図８は、本発明の実施の形態２にかかる顕微鏡システムの構成を示す模式図である。
【図９】図９は、図８の矢視Ｂ方向からみた模式図である。
【図１０】図１０は、本発明の実施の形態２にかかる顕微鏡システムの構成を示す部分断面図である。
【図１１】図１１は、本発明の実施の形態２の変形例２−１にかかる顕微鏡システムの構成を示す部分断面図である。
【図１２】図１２は、本発明の実施の形態２の変形例２−２にかかる顕微鏡システムの構成を示す部分断面図である。
【図１３】図１３は、本発明の実施の形態２の変形例２−３にかかる顕微鏡システムの構成を示す模式図である。
【図１４】図１４は、本発明の実施の形態２の変形例２−３にかかる顕微鏡システムの構成を示す模式図である。
【発明を実施するための形態】
【００１４】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。
【００１５】
（実施の形態１）
まず、本実施の形態１にかかる顕微鏡システムについて、図面を参照して詳細に説明する。図１は、本実施の形態１にかかる顕微鏡システム１の全体構成を示す模式図である。図２は、図１の矢視Ａ方向からみた模式図である。本実施の形態１では、正立型の顕微鏡を例に説明する。
【００１６】
顕微鏡システム１は、図１に示すように、厚さの小さい標本Ｓ１が載置されるステージ１０と、側面視略Ｃ字状をなす顕微鏡本体２０と、顕微鏡本体２０の上部後方（図１の右方）に配設された落射照明用ランプハウス３１と、顕微鏡本体２０の底部後方（図１の右方）に配設された透過照明用ランプハウス３２と、顕微鏡本体２０の上部に載置された鏡筒３３と、透過照明用ランプハウス３２から射出される透過照明光を通過させる透過投光管３４と、を備える。また、鏡筒３３には、標本Ｓ１の標本像を目視観察するための接眼レンズ３５が取り付けられている。
【００１７】
ステージ１０は、透過投光管３４から鉛直方向に延びる略柱状の支持部材１１，１２によって支持されている。また、支持部材１２は、コンデンサホルダ１３を介してコンデンサ１４を上下動可能に保持している。また、ステージ１０には、標本Ｓ１を載置する載置面をＸＹ平面とみたときに、ステージ１０をＸ方向に移動させるＸ方向移動部１０１と、ステージ１０をＹ方向に移動させるＹ方向移動部１０２と、が設けられている。Ｘ方向移動部１０１およびＹ方向移動部１０２は、それぞれ自転可能に設けられ、自転による回転量に応じて各方向にステージ１０を移動させる。
【００１８】
顕微鏡本体部２０は、平板状をなすベース部２１と、ベース部２１から直立する支柱２２と、支柱２２のベース部２１側と異なる側の端部に設けられ、支柱２２が延びる方向と垂直な方向に延び、落射照明用ランプハウス３１から射出される落射照明光を通過させる落射投光管２３（落射照明光学系）と、支柱２２によって上下動可能に支持されるとともに、レボルバ２４を介して対物レンズ２５を保持する側面視略Ｌ字状をなす対物アーム２６と、を有する。
【００１９】
支柱２２は、ベース部２１の板面から鉛直方向に延び、対物アーム２６を移動させるための動力の入力を行う自転可能な入力部２２１を有する。入力部２２１は、例えばラックアンドピニオン等の焦準機構を介して回転動力を対物アーム２６側に伝達し、入力部２２１（ピニオン）の回転量に応じて対物アーム２６を上下方向に移動させる。なお、ラックは、対物アーム２６に形成されてもよいし、対物アーム２６と連結する別部材として設けられてもよい。また、支柱２２は、透過照明用ランプハウス３２と接続し、透過照明用ランプハウス３２から射出された透過照明光を透過投光管３４に対して出射する。
【００２０】
落射投光管２３は、落射照明用ランプハウス３１から射出される光軸Ｎ１の落射照明光を通過させるとともに、キューブユニット２３１によって、軸Ｎ２方向に落射照明光を反射させる。なお、この軸Ｎ２は、対物レンズ２５の光軸と一致する。キューブユニット２３１は、図示しない複数のキューブを有し、各キューブを検鏡法に応じて選択的に光路上に配置させる。このキューブによって、落射照明用ランプハウス３１からの落射照明光の標本Ｓ１側への切り替え、または標本Ｓ１からの光（観察光）の接眼レンズ３５側への切り替えを行うことで、光路の切り替えを行うことができる。
【００２１】
レボルバ２４は、顕微鏡本体部２０に対してスライド自在または回転自在に設けられ、対物レンズ２５を標本Ｓ１の上方に配置する。レボルバ２４は、電動レボルバ等を用いて構成される。レボルバ２４は、マウンタによって倍率（観察倍率）が異なる複数の対物レンズ２５を保持し、観察光の光路上に挿入されて標本Ｓ１の観察に用いる対物レンズ２５を択一的に切換える。
【００２２】
対物レンズ２５は、たとえば１倍，２倍，４倍の比較的倍率の低い対物レンズ（以下、「低倍対物レンズ」という）と、１０倍，２０倍，４０倍の低倍対物レンズの倍率に対して高倍率である対物レンズ（以下、「高倍対物レンズ」という）とを少なくとも一つずつレボルバ２４に装着させる。なお、低倍対物レンズおよび高倍対物レンズの倍率は一例であり、高倍対物レンズが低倍対物レンズに対して高ければよい。
【００２３】
透過投光管３４は、透過照明用ランプハウス３２から支柱２２を介して射出される透過照明光を通過させるとともに、ミラー３４１によって、軸Ｎ２方向に透過照明光を反射させる。なお、この軸Ｎ２は、対物レンズ２５の光軸と一致する。ミラー３４１によって反射した透過照明光は、出射窓３４２からコンデンサ１４（標本Ｓ１）に向けて出射される。なお、本実施の形態１では、透過投光管３４およびコンデンサ１４が透過照明光学系を構成する。
【００２４】
また、透過投光管３４は、図２に示すように、透過投光管３４が延びる方向と直交する方向に突出した突出部３４ａを介して、ボルト３４３によってベース部２１に固定されている。このとき、透過投光管３４のベース部２１に対する固定においては、図示しないノックピンあるいは、加工の突き当て面などで、位置決め固定されている。なお、ベース部２１および透過投光管３４に対して凹形状および凸形状をそれぞれ形成して、ベース部２１に対して透過投光管３４の載置位置が案内されるものであってもよい。
【００２５】
落射照明用ランプハウス３１および透過照明用ランプハウス３２は、光源３１１，３２１から出射された光を集光レンズ３１２，３２２によって集光して、ランプハウスの外部に射出する。
【００２６】
このような構成において、図１では、標本Ｓ１として細胞のような極めて薄いものの観察を行う。ここで、標本Ｓ１を透過観察する場合、透過照明用ランプハウス３２の光源３２１からの透過照明光は、透過投光管３４の内部のミラー３４１で反射して、出射窓３４２より出射され、コンデンサ１４を通過した後、標本Ｓ１を透過して対物レンズ２５、キューブユニット２３１を介して接眼レンズ３５に入射される。
【００２７】
また、標本Ｓ１を落射観察する場合、落射照明用ランプハウス３１の光源３１１からの落射照明光は、キューブユニット２３１で反射され、対物レンズ２５を介して標本Ｓ１に照射されるとともに、この照射光を反射した標本Ｓ１からの光が対物レンズ２５、キューブユニット２３１を介して接眼レンズ３５に入射される。
【００２８】
このとき、入力部２２１を回転操作して図示しない焦準機構を介して対物アーム２６を支柱２２の長手方向に沿って上下動させることにより、対物レンズ２５を軸Ｎ２に沿って移動させることで焦準操作を行うことができる。
【００２９】
一方、厚みのある標本Ｓ２の観察を行う場合は、落射照明光を用いた観察となる（図３参照）。この場合、図２に示すボルト３４３をベース部２１から外して、透過投光管３４をベース部２１から取り外す。その後、ステージ１０を固定している図示しないボルトを緩めて外し、支持部材１１，１２からステージ１０を取り外す。これにより、透過投光管３４が配設されていた領域を、標本Ｓ２を載置することが可能な領域（標本載置可能領域）とすることができる。
【００３０】
このとき、図３に示すように、透過照明用ランプハウス３２を支柱２２から取り外してもよい。また、支持部材１１，１２、コンデンサ１４（コンデンサホルダ１３）を透過投光管３４から取り外すことも可能である。
【００３１】
この状態で厚みのある標本Ｓ２をベース部２１に載置して、上述した落射観察を行うことができる。ここで、ベース部２１には除振台などに顕微鏡を固定するための複数のボルト穴２１ａが設けてあり、ボルト２１１によって除振台に固定されていることが好ましい。
【００３２】
上述した本実施の形態１によれば、ステージを支持する透過投光管を取り外し、この透過投光管を載置していた載置面に厚みのある標本を載置するようにしたので、対物レンズとステージとの間の距離の拡張範囲を拡大することができる。
【００３３】
また、本実施の形態１では、透過投光管３４の取り外し作業を行うのみで、標本Ｓ２に対応した対物レンズ２５とステージ１０との間の距離を変更することができるため、構成部材を増大させることなく、効率よく標本の観察を行うことが可能となる。
【００３４】
なお、上述した顕微鏡システムに対して、厚みの異なるベース部や、長さの異なる支柱にそれぞれ取り替えて対物レンズとステージとの距離を変更してもよい。これにより、標本に適したベース部や支柱を選択することにより効率的に観察することが可能となる。また、ステージを顕微鏡本体と独立して設けてもよい。これにより、ランプハウスから射出される照明光の熱による合焦位置の変化を防止することができる。
【００３５】
図４は、本実施の形態１の変形例１−１にかかる顕微鏡システムの構成を示す部分断面図である。図４に示す変形例１−１のように、図３に示すベース部２１に対して支持部材１１より長手方向の長さの短い支持部材１５を固定して、この支持部材１５がステージ１０を支持することにより、ステージ１０の高さを変更するものであってもよい。
【００３６】
図５は、本実施の形態１の変形例１−２にかかる顕微鏡システムの構成を示す部分断面図である。図５に示す変形例１−２のように、図３に示すベース部２１に対してランニングマシン３６を固定して、標本となる動物の運動状態を観察するものであってもよい。なお、ランニングマシン３６は、例えばボルト３６１によってベース部２１に固定される。
【００３７】
図６，７は、本発明の実施の形態１の変形例１−３にかかる顕微鏡システムの構成を示す模式図である。図６，７に示す顕微鏡システム１ａのように、落射照明光としてレーザ光を射出するレーザユニット４０と、上述したベース部２１、支柱２２、および支柱２２のベース部２１側と異なる側の端部に支持され、支柱２２が延びる方向と垂直な方向に延び、一方の端部側でレーザユニット４０と連結して、レーザユニット４０から射出されたレーザ光を取り込んで、取り込んだレーザ光を対物レンズ２５側に出射するレーザ投光管２７を有する顕微鏡本体部２０ａと、を備える。
【００３８】
レーザユニット４０は、例えば、所定波長のレーザ光を発振する光源ユニット４０ａと、光源ユニット４０ａから発振されたレーザ光をレーザ投光管２７に向けて射出するとともに、標本Ｓが反射した光を、レーザ投光管２７を介して入射するレーザ光学系４０ｂと、レーザ投光管２７からレーザ光学系４０ｂに入射した光を検出する検出部４０ｃとで構成される。レーザユニット４０は、具体的には、レーザ光を発振するレーザ光発振部、レーザ光発振部から射出されたレーザ光を反射する反射ミラー、レーザ光の透過および反射を選択的に行うダイクロイックミラーや、レーザ光を平行光とするコリメートレンズ等を１または複数備え、音響光学可変フィルタ、シングルモードファイバを介して所定波長のレーザ光（光軸Ｎ３）を外部（顕微鏡本体部２０ａ）に射出する。また、レーザユニット４０は、レーザ投光管２７を介して標本Ｓから反射された反射光を入射し、この入射光を検出する検出部を有する。
【００３９】
レーザ投光管２７は、レーザユニット４０からのレーザ光を瞳投影レンズ２７１、結像レンズ２７２および上述したキューブユニット２３１を介して対物レンズ２５にレーザ光を入射させる。
【００４０】
また、従来の技術として、ベース部から鉛直方向に延びる支柱に対して、所望の高さ位置に対物レンズ、レーザ投光管を含む焦準機構を設けて、対物レンズとステージとの間の距離を変更することが挙げられるが、支柱に取り付ける焦準機構が上述したレーザユニットのように大型で質量の大きなユニットを搭載する場合、このユニットによる荷重が、支柱に取り付けられた焦準機構に加わって、光軸にずれなどが生じる場合があった。また、レーザユニットを載置台等に載置する場合であっても、レーザユニットと投光管とを連結する連結部材に対して、焦準機構の上下移動に対して追従可能となるような構成とする必要があった。
【００４１】
これに対して、上述した変形例１−３によれば、ステージを支持する透過投光管を取り外し、この透過投光管を載置していた載置面に標本を載置するようにしたので、標本の厚みに応じて対物レンズとステージとの間の距離を拡大することができるとともに、対物レンズとステージとの間の距離を変更した際であってもレーザ投光管の位置を変えることなく対応することが可能である。また、レーザユニットによる光軸のずれを防止することができる。
【００４２】
（実施の形態２）
図８は、本実施の形態２にかかる顕微鏡システム１ｂの構成を示す模式図である。図９は、図８の矢視Ｂ方向からみた模式図である。なお、図１等で上述したものと同じ構成要素には同じ符号を付してある。顕微鏡システム１ｂは、上述したステージ１０、落射照明用ランプハウス３１、透過照明用ランプハウス３２、鏡筒３３と、側面視略Ｃ字状をなす顕微鏡本体２０ｂと、透過照明用ランプハウス３２から射出される透過照明光を通過させる透過投光管３７と、を備える。
【００４３】
顕微鏡本体２０ｂは、上述したベース部２１、支柱２２と、支柱２２のベース部２１側と異なる側の端部に支持され、支柱２２が延びる方向と垂直な方向に延び、落射照明用ランプハウス３１から射出される落射照明光を通過させる落射投光管２３ａと、対物レンズ２５を保持し、落射投光管２３ａに保持されるレボルバ２４ａと、を備える。また、支柱２２には、支柱２２に沿って昇降移動する昇降部２８が設けられる。昇降部２８は、ステージ１０およびコンデンサホルダ１３を保持する保持部材２９を着脱可能に支持している。ここで、ステージ１０とコンデンサ１４とは、距離関係が固定された状態で昇降部２８に支持されている。
【００４４】
また、支柱２２は、自転可能に設けられ、昇降部２８を移動させるための動力の入力を行う入力部２２２を有する。入力部２２２は、例えばラックアンドピニオン等の焦準機構を介して回転動力を昇降部２８側に伝達し、入力部２２２（ピニオン）の回転量に応じて昇降部２８を上下方向に移動させる。なお、ラックは、昇降部２８に形成されてもよいし、昇降部２８と連結する別部材として設けられてもよい。
【００４５】
また、透過投光管３７は、図９に示すように、透過投光管３７が延びる方向と直交する方向に突出した突出部３７ａを介して、ボルト３７１によってベース部２１に固定されている。このとき、透過投光管３７のベース部２１に対する固定においては、図示しないノックピンあるいは、加工の突き当て面などで、位置の再現性よく固定できている。なお、ベース部２１および透過投光管３７に対して凹形状および凸形状をそれぞれ形成して、ベース部２１に対して透過投光管３７の載置位置が案内されるものであってもよい。
【００４６】
このような構成において、図８では、標本Ｓ１として細胞のような極めて薄いものの観察を行う。ここで、標本Ｓ１を透過観察する場合、透過照明用ランプハウス３２の光源３２１からの透過照明光は、透過投光管３７の内部のミラー３４１で反射して、出射窓３４２より出射され、コンデンサ１４を通過した後、標本Ｓ１を透過して対物レンズ２５、キューブユニット２３１を介して接眼レンズ３５に入射される。
【００４７】
また、標本Ｓ１を落射観察する場合、落射照明用ランプハウス３１の光源３１１からの落射照明光は、キューブユニット２３１で反射され、対物レンズ２５を介して標本Ｓ１に照射されるとともに、この照射光を反射した標本Ｓ１からの光が対物レンズ２５、キューブユニット２３１を介して接眼レンズ３５に入射される。
【００４８】
このとき、入力部２２２を回転操作して図示しない焦準機構を介して昇降部２８を支柱２２の長手方向に沿って上下動させることにより、ステージ１０を軸Ｎ２に沿って移動させることで焦準操作を行うことができる。
【００４９】
一方、厚みのある標本Ｓ２の観察を行う場合は、落射照明光を用いた観察となる（図１０参照）。この場合、図９に示すボルト３７１をベース部２１から外して、透過投光管３７をベース部２１から取り外す。その後、昇降部２８および保持部材２９を固定している図示しないボルトを緩めて外し、ステージ１０およびコンデンサホルダ１３を保持している保持部材２９を昇降部２８から取り外す。このとき、昇降部２８に支持されているステージ１０およびコンデンサホルダ１３（コンデンサ１４）は、一体的に取り外される。保持部材２９を取り外した後、側面視略Ｌ字状をなす載置部材３８を昇降部２８に取り付ける。これにより、載置部材３８の標本載置面を、透過投光管３７が配設されていた領域に配置することができる。
【００５０】
このとき、図１０に示すように、透過照明用ランプハウス３２を支柱２２から取り外してもよい。また、ステージ１０を保持部材２９から取り外すことも可能である。
【００５１】
この状態で厚みのある標本Ｓ２を載置部材３８に載置して、入力部２２２により載置部材３８を昇降させることによって、上述した落射観察を行うことができる。ここで、ベース部２１には除振台などに顕微鏡を固定するべく、複数のボルト穴２１ａが設けてあり、ボルト２１１によって除振台に固定されていることが好ましい。
【００５２】
上述した本実施の形態２によれば、ベース部上の透過投光管を取り外し、この透過投光管が位置していた領域で厚みのある標本を載置するようにしたので、対物レンズとステージとの間の距離の拡張範囲を拡大することができる。
【００５３】
図１１は、本実施の形態２の変形例２−１にかかる顕微鏡システムの構成を示す部分断面図である。図１１に示す変形例２−１のように、図１０に示す昇降部２８に対して軸Ｎ２方向の長さの短いステージ保持部材３９を固定して、このステージ保持部材３９がステージ１０を支持することにより、ステージ１０の高さを変更するものであってもよい。
【００５４】
図１２は、本実施の形態２の変形例２−２にかかる顕微鏡システムの構成を示す部分断面図である。図１２に示す変形例２−２のように、図１０に示す昇降部２８に対してステージ１０に上述した載置部材３８を固定して、この載置部材３８がランニングマシン３６を保持して、標本となる動物の運動状態を観察するものであってもよい。なお、ランニングマシン３６は、例えばボルト３６１によって載置部材３８に固定される。
【００５５】
図１３，１４は、本発明の実施の形態２の変形例２−３にかかる顕微鏡システムの構成を示す模式図である。上述した変形例１−３のように、図１２，１３に示す顕微鏡システム１ｃとして、上述した顕微鏡システム１ｂに対して、落射照明用ランプハウス３１に代えてレーザユニット４０と、落射投光管２３ａに代えてレーザ投光管２７ａを有する顕微鏡本体部２０ｃと、を備える構成であってもよい。
【００５６】
これにより、上述した変形例１−３と同様、ステージを支持する透過投光管を取り外し、この透過投光管を載置していた載置面に標本を載置するようにしたので、標本の厚みに応じて対物レンズとステージとの間の距離を拡大することができるとともに、対物レンズとステージとの間の距離を変更した際であってもレーザ投光管の位置を変えることなく対応することが可能である。また、レーザユニットによる光軸のずれを防止することができる。
【００５７】
以上のように、本発明にかかる顕微鏡システムは、対物レンズとステージとの間の距離の拡張範囲を拡大することに有用である。
【符号の説明】
【００５８】
１，１ａ，１ｂ，１ｃ  顕微鏡システム
１０  ステージ
１１，１２，１５  支持部材
１３  コンデンサホルダ
１４  コンデンサ
２０，２０ａ，２０ｂ，２０ｃ  顕微鏡本体部
２１  ベース部
２１ａ  ボルト穴
２２  支柱
２３，２３ａ  落射投光管
２４，２４ａ  レボルバ
２５  対物レンズ
２６  対物アーム
２７，２７ａ  レーザ投光管
２８  昇降部
２９  保持部材
３１  落射照明用ランプハウス
３２  透過照明用ランプハウス
３３  鏡筒
３４，３７  透過投光管
３４ａ，３７ａ  突出部
３５  接眼レンズ
３６  ランニングマシン
３８  載置部材
３９  ステージ保持部材
４０  レーザユニット
４０ａ  光源ユニット
４０ｂ  レーザ光学系
４０ｃ  検出部
１０１  Ｘ方向移動部
１０２  Ｙ方向移動部
２２１，２２２  入力部
２３１  キューブユニット
３１１，３２１  光源
３１２，３２２  集光レンズ
【図１】
2013105155.tif 000003
【図２】
2013105155.tif 000004
【図３】
2013105155.tif 000005
【図４】
2013105155.tif 000006
【図５】
2013105155.tif 000007
【図６】
2013105155.tif 000008
【図７】
2013105155.tif 000009
【図８】
2013105155.tif 000010
【図９】
2013105155.tif 000011
【図１０】
2013105155.tif 000012
【図１１】
2013105155.tif 000013
【図１２】
2013105155.tif 000014
【図１３】
2013105155.tif 000015
【図１４】
2013105155.tif 000016
【手続補正書】
【提出日】平成24年8月8日(2012.8.8)
【手続補正１】
【補正対象書類名】明細書
【補正対象項目名】００１６
【補正方法】変更
【補正の内容】
【００１６】
顕微鏡システム１は、図１に示すように、厚さの小さい標本Ｓ１が載置されるステージ１０と、側面視略Ｃ字状をなす顕微鏡本体部２０と、顕微鏡本体部２０の上部後方（図１の右方）に配設された落射照明用ランプハウス３１と、顕微鏡本体部２０の底部後方（図１の右方）に配設された透過照明用ランプハウス３２と、顕微鏡本体部２０の上部に載置された鏡筒３３と、透過照明用ランプハウス３２から射出される透過照明光を通過させる透過投光管３４と、を備える。また、鏡筒３３には、標本Ｓ１の標本像を目視観察するための接眼レンズ３５が取り付けられている。
【手続補正２】
【補正対象書類名】明細書
【補正対象項目名】００３４
【補正方法】変更
【補正の内容】
【００３４】
なお、上述した顕微鏡システムに対して、厚みの異なるベース部や、長さの異なる支柱にそれぞれ取り替えて対物レンズとステージとの距離を変更してもよい。これにより、標本に適したベース部や支柱を選択することにより効率的に観察することが可能となる。また、ステージを顕微鏡本体部と独立して設けてもよい。これにより、ランプハウスから射出される照明光の熱による合焦位置の変化を防止することができる。
【手続補正３】
【補正対象書類名】明細書
【補正対象項目名】００４２
【補正方法】変更
【補正の内容】
【００４２】
（実施の形態２）
図８は、本実施の形態２にかかる顕微鏡システム１ｂの構成を示す模式図である。図９は、図８の矢視Ｂ方向からみた模式図である。なお、図１等で上述したものと同じ構成要素には同じ符号を付してある。顕微鏡システム１ｂは、上述したステージ１０、落射照明用ランプハウス３１、透過照明用ランプハウス３２、鏡筒３３と、側面視略Ｃ字状をなす顕微鏡本体部２０ｂと、透過照明用ランプハウス３２から射出される透過照明光を通過させる透過投光管３７と、を備える。
【手続補正４】
【補正対象書類名】明細書
【補正対象項目名】００４３
【補正方法】変更
【補正の内容】
【００４３】
顕微鏡本体部２０ｂは、上述したベース部２１、支柱２２と、支柱２２のベース部２１側と異なる側の端部に支持され、支柱２２が延びる方向と垂直な方向に延び、落射照明用ランプハウス３１から射出される落射照明光を通過させる落射投光管２３ａと、対物レンズ２５を保持し、落射投光管２３ａに保持されるレボルバ２４ａと、を備える。また、支柱２２には、支柱２２に沿って昇降移動する昇降部２８が設けられる。昇降部２８は、ステージ１０およびコンデンサホルダ１３を保持する保持部材２９を着脱可能に支持している。ここで、ステージ１０とコンデンサ１４とは、距離関係が固定された状態で昇降部２８に支持されている。
【手続補正５】
【補正対象書類名】明細書
【補正対象項目名】００５５
【補正方法】変更
【補正の内容】
【００５５】
図１３，１４は、本発明の実施の形態２の変形例２−３にかかる顕微鏡システムの構成を示す模式図である。上述した変形例１−３のように、図１３，１４に示す顕微鏡システム１ｃとして、上述した顕微鏡システム１ｂに対して、落射照明用ランプハウス３１に代えてレーザユニット４０と、落射投光管２３ａに代えてレーザ投光管２７ａを有する顕微鏡本体部２０ｃと、を備える構成であってもよい。